(57)【要約】【課題】光源の使用積算時間のみならず、光源の寿命に影響を与える他の条件も加味して交換時期到来の判定を高精度に行うようにする。【解決手段】光源（４）の使用積算時間（ΣＴ）を演算する第一演算手段（１１）、前記第一演算手段によって演算された使用積算時間を保持する保持手段（１０）、前記光源を１回点灯する度に該光源に与えられるストレスを該光源の使用時間に置き換えた点灯ストレス時間換算値（Ｔａ）を演算する第二演算手段（１１）、前記第二演算手段によって演算された点灯ストレス時間換算値を前記使用積算時間に加算してその加算値で前記保持手段で保持されている使用積算時間を更新する更新手段（１１）、前記保持手段で保持されている使用積算時間と所定の基準値とを比較して該使用積算時間が該基準値を超えているときに前記光源の交換時期到来を判定する判定手段（１１）を備える。【選択図】  図１
2007095427.tif 000002
【特許請求の範囲】
【請求項１】
光源の使用積算時間を演算する第一演算手段と、
前記第一演算手段によって演算された使用積算時間を保持する保持手段と、
前記光源を１回点灯する度に該光源に与えられるストレスを該光源の使用時間に置き換えた点灯ストレス時間換算値を演算する第二演算手段と、
前記第二演算手段によって演算された点灯ストレス時間換算値を前記使用積算時間に加算してその加算値で前記保持手段で保持されている使用積算時間を更新する更新手段と、
前記保持手段で保持されている使用積算時間と所定の基準値とを比較して該使用積算時間が該基準値を超えているときに前記光源の交換時期到来を判定する判定手段と
を備えたことを特徴とする光源寿命判定装置。
【請求項２】
光源の使用積算時間を演算する第一演算手段と、
前記第一演算手段によって演算された使用積算時間を保持する保持手段と、
前記光源の消灯後に該光源を所定時間クールダウンするクールダウン手段と、
前記光源に対するクールダウンを行わなかった場合又は該クールダウンを途中で終了した場合に該光源に与えられるストレスを該光源の使用時間に置き換えたクールダウンストレス時間換算値を演算する第三演算手段と、
前記第三演算手段によって演算されたクールダウンストレス時間換算値を前記使用積算時間に加算してその加算値で前記保持手段で保持されている使用積算時間を更新する更新手段と、
前記保持手段で保持されている使用積算時間と所定の基準値とを比較して該使用積算時間が該基準値を超えているときに前記光源の交換時期到来を判定する判定手段と
を備えたことを特徴とする光源寿命判定装置。
【請求項３】
光源の使用積算時間を演算する第一演算手段と、
前記第一演算手段によって演算された使用積算時間を保持する保持手段と、
前記光源の消灯後に該光源を所定時間クールダウンするクールダウン手段と、
前記光源を１回点灯する度に該光源に与えられるストレスを該光源の使用時間に置き換えた点灯ストレス時間換算値を演算する第二演算手段と、
前記光源に対するクールダウンを行わなかった場合又は該クールダウンを途中で終了した場合に該光源に与えられるストレスを該光源の使用時間に置き換えたクールダウンストレス時間換算値を演算する第三演算手段と、
前記第二演算手段によって演算された点灯ストレス時間換算値及び前記第三演算手段によって演算されたクールダウンストレス時間換算値を前記使用積算時間に加算してその加算値で前記保持手段で保持されている使用積算時間を更新する更新手段と、
前記保持手段で保持されている使用積算時間と所定の基準値とを比較して該使用積算時間が該基準値を超えているときに前記光源の交換時期到来を判定する判定手段と
を備えたことを特徴とする光源寿命判定装置。
【請求項４】
光源の使用積算時間を演算する第一演算工程と、
前記第一演算工程によって演算された使用積算時間を保持する保持工程と、
前記光源を１回点灯する度に該光源に与えられるストレスを該光源の使用時間に置き換えた点灯ストレス時間換算値を演算する第二演算工程と、
前記第二演算工程によって演算された点灯ストレス時間換算値を前記使用積算時間に加算してその加算値で前記保持工程で保持されている使用積算時間を更新する更新工程と、
前記保持工程で保持されている使用積算時間と所定の基準値とを比較して該使用積算時間が該基準値を超えているときに前記光源の交換時期到来を判定する判定工程と
を含むことを特徴とする光源寿命判定方法。
【請求項５】
光源の使用積算時間を演算する第一演算工程と、
前記第一演算工程によって演算された使用積算時間を保持する保持工程と、
前記光源の消灯後に該光源を所定時間クールダウンするクールダウン工程と、
前記光源に対するクールダウンを行わなかった場合又は該クールダウンを途中で終了した場合に該光源に与えられるストレスを該光源の使用時間に置き換えたクールダウンストレス時間換算値を演算する第三演算工程と、
前記第三演算工程によって演算されたクールダウンストレス時間換算値を前記使用積算時間に加算してその加算値で前記保持工程で保持されている使用積算時間を更新する更新工程と、
前記保持工程で保持されている使用積算時間と所定の基準値とを比較して該使用積算時間が該基準値を超えているときに前記光源の交換時期到来を判定する判定工程と
を含むことを特徴とする光源寿命判定方法。
【請求項６】
光源の使用積算時間を演算する第一演算工程と、
前記第一演算工程によって演算された使用積算時間を保持する保持工程と、
前記光源の消灯後に該光源を所定時間クールダウンするクールダウン工程と、
前記光源を１回点灯する度に該光源に与えられるストレスを該光源の使用時間に置き換えた点灯ストレス時間換算値を演算する第二演算工程と、
前記光源に対するクールダウンを行わなかった場合又は該クールダウンを途中で終了した場合に該光源に与えられるストレスを該光源の使用時間に置き換えたクールダウンストレス時間換算値を演算する第三演算工程と、
前記第二演算工程によって演算された点灯ストレス時間換算値及び前記第三演算工程によって演算されたクールダウンストレス時間換算値を前記使用積算時間に加算してその加算値で前記保持工程で保持されている使用積算時間を更新する更新工程と、
前記保持工程で保持されている使用積算時間と所定の基準値とを比較して該使用積算時間が該基準値を超えているときに前記光源の交換時期到来を判定する判定工程と
を含むことを特徴とする光源寿命判定方法。
【発明の詳細な説明】
【技術分野】
【０００１】
本発明は、光源寿命判定装置及び光源寿命判定方法に関し、例えば、プロジェクタに用いられる高輝度光源の寿命を判定する装置及びその方法に関する。
【背景技術】
【０００２】
プロジェクタは、キセノンランプや超高圧水銀系ランプなどの高輝度光源（以下、単に光源という）からの光を、液晶パネル等の透過型光変調素子又はデジタルマイクロミラーデバイス等の反射型光変調素子に照射し、当該素子の透過光又は反射光を投射レンズを介してスクリーンに画像を拡大投影するものであり、会議やプレゼンテーションあるいはホームシアターなどに多用されている。
【０００３】
ここで、プロジェクタの光源の寿命（交換時期）は、その光源の品種（型番等）毎に定められており、交換時期に達したとき、あるいは、その前に光源の交換を行うこととされているが、かかる交換時期の判定を人為的に行うのは、いちいち使用記録を残す必要があり、きわめて面倒であるし、判定の精度も充分でない。
【０００４】
そこで、プロジェクタの内部で光源の使用時間（点灯時間）を積算記録しておき、その積算時間があらかじめ定められている交換時期に達したときに、ユーザに対して光源の交換時期が到来したことを告知するようにした技術が知られている（例えば、特許文献１参照）。
【０００５】
【特許文献１】特開２００３−２４１１６２号公報
【発明の開示】
【発明が解決しようとする課題】
【０００６】
しかしながら、上記の技術にあっては、光源の使用積算時間と、あらかじめ定められている交換時期とを比較して交換時期到来を判定するだけのものにすぎず、交換時期の判定精度が不十分である。
【０００７】
例えば、ある品種の光源の仕様書で、その光源の寿命が１５００時間とされていると仮定すると、使用積算時間が１５００時間に達したときに光源の交換を行えば、その光源の寿命をフルに使い切ることができることになり、もっとも経済的である。しかしながら、実際の寿命は、仕様書で規定された時間よりも早めに尽きるケースが多い。その理由は、仕様書の寿命は連続点灯時間を表すものであって、実際の使用に際して光源に与えられる様々なストレスを考慮していないからである。
【０００８】
したがって、上記の技術における判定基準（あらかじめ定められている交換時期）は、安全のために、仕様書の寿命よりも短い時間（例えば、１０００時間等）に設定せざるを得ず、その結果、実際に寿命が尽きる前に早めに交換時期到来を判定してしまうという問題点があり、光源のコスト、つまり、経済性の面で改善すべき技術課題がある。
【０００９】
そこで、本発明は、光源の使用積算時間のみならず、光源の寿命に影響を与える他の条件も加味して交換時期到来の判定を高精度に行うようにし、以て、光源の交換時期を延ばして経済性の改善を意図した光源寿命判定装置及び光源寿命判定方法を提供することを目的とする。
【課題を解決するための手段】
【００１０】
請求項１記載の発明は、光源の使用積算時間を演算する第一演算手段と、前記第一演算手段によって演算された使用積算時間を保持する保持手段と、前記光源を１回点灯する度に該光源に与えられるストレスを該光源の使用時間に置き換えた点灯ストレス時間換算値を演算する第二演算手段と、前記第二演算手段によって演算された点灯ストレス時間換算値を前記使用積算時間に加算してその加算値で前記保持手段で保持されている使用積算時間を更新する更新手段と、前記保持手段で保持されている使用積算時間と所定の基準値とを比較して該使用積算時間が該基準値を超えているときに前記光源の交換時期到来を判定する判定手段とを備えたことを特徴とする光源寿命判定装置である。
請求項２記載の発明は、光源の使用積算時間を演算する第一演算手段と、前記第一演算手段によって演算された使用積算時間を保持する保持手段と、前記光源の消灯後に該光源を所定時間クールダウンするクールダウン手段と、前記光源に対するクールダウンを行わなかった場合又は該クールダウンを途中で終了した場合に該光源に与えられるストレスを該光源の使用時間に置き換えたクールダウンストレス時間換算値を演算する第三演算手段と、前記第三演算手段によって演算されたクールダウンストレス時間換算値を前記使用積算時間に加算してその加算値で前記保持手段で保持されている使用積算時間を更新する更新手段と、前記保持手段で保持されている使用積算時間と所定の基準値とを比較して該使用積算時間が該基準値を超えているときに前記光源の交換時期到来を判定する判定手段とを備えたことを特徴とする光源寿命判定装置である。
請求項３記載の発明は、光源の使用積算時間を演算する第一演算手段と、前記第一演算手段によって演算された使用積算時間を保持する保持手段と、前記光源の消灯後に該光源を所定時間クールダウンするクールダウン手段と、前記光源を１回点灯する度に該光源に与えられるストレスを該光源の使用時間に置き換えた点灯ストレス時間換算値を演算する第二演算手段と、前記光源に対するクールダウンを行わなかった場合又は該クールダウンを途中で終了した場合に該光源に与えられるストレスを該光源の使用時間に置き換えたクールダウンストレス時間換算値を演算する第三演算手段と、前記第二演算手段によって演算された点灯ストレス時間換算値及び前記第三演算手段によって演算されたクールダウンストレス時間換算値を前記使用積算時間に加算してその加算値で前記保持手段で保持されている使用積算時間を更新する更新手段と、前記保持手段で保持されている使用積算時間と所定の基準値とを比較して該使用積算時間が該基準値を超えているときに前記光源の交換時期到来を判定する判定手段とを備えたことを特徴とする光源寿命判定装置である。
請求項４記載の発明は、光源の使用積算時間を演算する第一演算工程と、前記第一演算工程によって演算された使用積算時間を保持する保持工程と、前記光源を１回点灯する度に該光源に与えられるストレスを該光源の使用時間に置き換えた点灯ストレス時間換算値を演算する第二演算工程と、前記第二演算工程によって演算された点灯ストレス時間換算値を前記使用積算時間に加算してその加算値で前記保持工程で保持されている使用積算時間を更新する更新工程と、前記保持工程で保持されている使用積算時間と所定の基準値とを比較して該使用積算時間が該基準値を超えているときに前記光源の交換時期到来を判定する判定工程とを含むことを特徴とする光源寿命判定方法である。
請求項５記載の発明は、光源の使用積算時間を演算する第一演算工程と、前記第一演算工程によって演算された使用積算時間を保持する保持工程と、前記光源の消灯後に該光源を所定時間クールダウンするクールダウン工程と、前記光源に対するクールダウンを行わなかった場合又は該クールダウンを途中で終了した場合に該光源に与えられるストレスを該光源の使用時間に置き換えたクールダウンストレス時間換算値を演算する第三演算工程と、前記第三演算工程によって演算されたクールダウンストレス時間換算値を前記使用積算時間に加算してその加算値で前記保持工程で保持されている使用積算時間を更新する更新工程と、前記保持工程で保持されている使用積算時間と所定の基準値とを比較して該使用積算時間が該基準値を超えているときに前記光源の交換時期到来を判定する判定工程とを含むことを特徴とする光源寿命判定方法である。
請求項６記載の発明は、光源の使用積算時間を演算する第一演算工程と、前記第一演算工程によって演算された使用積算時間を保持する保持工程と、前記光源の消灯後に該光源を所定時間クールダウンするクールダウン工程と、前記光源を１回点灯する度に該光源に与えられるストレスを該光源の使用時間に置き換えた点灯ストレス時間換算値を演算する第二演算工程と、前記光源に対するクールダウンを行わなかった場合又は該クールダウンを途中で終了した場合に該光源に与えられるストレスを該光源の使用時間に置き換えたクールダウンストレス時間換算値を演算する第三演算工程と、前記第二演算工程によって演算された点灯ストレス時間換算値及び前記第三演算工程によって演算されたクールダウンストレス時間換算値を前記使用積算時間に加算してその加算値で前記保持工程で保持されている使用積算時間を更新する更新工程と、前記保持工程で保持されている使用積算時間と所定の基準値とを比較して該使用積算時間が該基準値を超えているときに前記光源の交換時期到来を判定する判定工程とを含むことを特徴とする光源寿命判定方法である。
【発明の効果】
【００１１】
本発明では、光源の使用積算時間が所定の基準値を超えているときに光源の交換時期到来を判定するが、この使用積算時間には「点灯ストレス時間換算値」と「クールダウンストレス時間換算値」の双方又はいずれか一方が含まれる。ここで、「点灯ストレス時間換算値」は、光源を１回点灯する度に該光源に与えられるストレスを該光源の使用時間に置き換えた値をもち、また、「クールダウンストレス時間換算値」は、光源に対するクールダウンを行わなかった場合又は該クールダウンを途中で終了した場合に該光源に与えられるストレスを該光源の使用時間に置き換えた値を持つ。
つまり、これらの「点灯ストレス時間換算値」及び「クールダウンストレス時間換算値」は、光源の寿命に影響を与える可能性がある条件パラメータであるから、本発明によれば、単に光源の累計使用時間に基づく従来の交換時期判定に比べて、より確度の高い判定を行うことができるようになり、その結果、光源の早め交換を回避し、光源の交換コストの抑制、したがって、経済性を改善することができる。
【発明を実施するための最良の形態】
【００１２】
以下、本発明の実施形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１３】
まず、構成を説明する。
図１は、本実施形態のプロジェクタ１のブロック図である。この図において、プロジェクタ１は、パーソナルコンピュータ等の映像信号発生装置から出力された、例えば、Ｓビデオやコンポジットビデオ、コンポーネントビデオなどの映像信号を、ＶＧＡやＳＶＧＡ、ＸＧＡ、ＳＸＧＡなどのデジタルコンピュータ信号に変換するスケーラ部２と、そのスケーラ部２から出力されたデジタルコンピュータ信号で駆動される液晶パネルやデジタルマイクロミラーデバイス等で構成された光変調素子３と、その光変調素子３に高輝度光を照射するキセノンランプや超高圧水銀ランプ等の光源４と、この光源４を冷却するための冷却ファン５と、光源点灯ボタン６ａ及び光源消灯ボタン６ｂを含む操作ボタン群６と、その操作ボタン群６のボタン操作に対応したボタン操作信号を生成する操作信号生成部７と、プロジェクタ１の動作に必要な制御プログラムやデータ等を不揮発的に格納したＲＯＭ８と、当該制御プログラムの実行エリアとして使用されるＲＡＭ９と、プロジェクタ１の使用履歴等のデータを書き換え可能かつ不揮発的に格納するＥＥＰＲＯＭ１０と、上記の制御プログラムをＲＡＭ９上で実行してプロジェクタ１の動作を統括制御するＣＰＵ１１と、商用電源（ＡＣ１００Ｖ）の供給を受けて回路各部の動作に必要な電源Ｅａ及び光源４の電源Ｅｂ並びにＣＰＵ１１の電源Ｅｃなどを生成する電源部１２と、電源Ｅｃで充電されると共に電源Ｅｃが絶たれたときには、その充電電圧を電源ＥｃとしてＣＰＵ１１に供給することが可能なバッテリ１３と、電源Ｅｃが絶たれたときに停電検知信号を発生してＣＰＵ１１の割り込み端子に印加する停電検出部１４とを備える。
【００１４】
なお、プロジェクタ１には、図示を省略するが、さらに、光電変調素子３の透過光又は反射光を不図示のスクリーンに拡大投影するための投射レンズやフォーカス機構などが備えられているほか、光電変調素子３が１個のデジタルマイクロミラーデバイスで構成されている場合には、光源４からの高輝度白色光を少なくとも光の三原色に色分解するカラーフィルター及びその回転機構などが備えられている。
【００１５】
光源４の電源Ｅｂは、ＣＰＵ１１からの制御信号に従って接点がオンオフするスイッチ１５を介して供給されるようになっており、また、冷却ファン５も、ＣＰＵ１１からの制御信号に従って回転及び停止するようになっており、さらに、スケーラ部２の動作も、ＣＰＵ１１からの制御信号に従ってコントロールされるようになっている。
【００１６】
図２は、ＥＥＰＲＯＭ１０に書き換え可能かつ不揮発的に格納されているデータの一例を示す概念図である。この図において、ＥＥＰＲＯＭ１０には、光源４の使用積算時間ΣＴの格納領域１０ａが確保されている。この使用積算時間ΣＴは光源４の累計の使用時間を表すことは勿論のこと、さらに、光源４の点灯１回あたりのストレスの影響を光源４の使用時間に換算した値（以下「点灯ストレス時間換算値Ｔａ」という）を含み、また、光源４の消灯時に正規のクールダウン（光源４の消灯時に冷却ファン５を引き続き回転させて光源４の温度を既定の温度まで下げる操作）が行われなかった場合又はクールダウンを途中終了した場合のストレスの影響を光源４の使用時間に換算した値（以下「クールダウンストレス時間換算値Ｔｂ」という）を含む。
【００１７】
ここで、点灯ストレス時間換算値Ｔａ及びクールダウンストレス時間換算値Ｔｂについて説明する。一般に、光源の寿命は連続点灯時間で規定されるが、実際の寿命は点灯／消灯の繰り返しのストレスの影響を受け、また、クールダウンを必要とする光源の場合は、それに加えて、クールダウンを行わなかったり、クールダウンを途中で終了したりした場合のストレスの影響も受ける。とりわけ、管球内部でアーク放電を生ずるキセノンランプや超高圧水銀ランプ等の高輝度光源の場合、こうしたストレスの影響は他の光源（フィラメント式光源など）に比べて相当大きく、かかるストレスの影響を加味しなければ、交換時期の到来を正しく判定することができない。
【００１８】
すなわち、冒頭で説明した従来技術にあっては、単に光源の累計の使用時間を積算しているだけであり、交換時期到来の判定精度が不十分であったが、本実施形態では、さらに、上記のストレスの影響に伴う「点灯ストレス時間換算値Ｔａ」と「クールダウンストレス時間換算値Ｔｂ」を加味して、光源４の使用積算時間を補正することにより、光源４の交換時期到来を正確に判定し、以て、光源４の実際の寿命をフルに使い切るようにして、経済性の改善を図るようにしている。
【００１９】
なお、図２に示すように、ＥＥＰＲＯＭ１０には、光源４の使用積算時間ΣＴの格納領域１０ａに加えて、点灯カウンタの格納領域１０ｂと、クールダウンカウンタの領域１０ｃが確保されている。点灯カウンタは、光源４の１回あたりの点灯時間を計測するカウンタであり、また、クールダウンカウンタは、光源４を消灯した時のクールダウン（冷却ファン５の冷風によるクーリング）の経過時間を計測するカウンタである。
【００２０】
次に、作用を説明する。
＜光源点灯処理＞
図３は、プロジェクタ１のＣＰＵ１１で実行される制御プログラムのうち「光源点灯処理」のフローチャートを示す図である。この図において、まず、ＣＰＵ１１は、光源点灯信号（光源点灯ボタン６ａの操作信号）の入力を判定すると（ステップＳ１）、ＥＥＰＲＯＭ１０から光源４の使用積算時間ΣＴを読み出す（ステップＳ２）。次いで、点灯ストレス時間換算値Ｔａを演算し（ステップＳ３）、ＥＥＰＲＯＭ１０から読み出した光源４の使用積算時間ΣＴに点灯ストレス時間換算値Ｔａを加算し（ステップＳ４）、その加算値を用いてＥＥＰＲＯＭ１０の光源４の使用積算時間ΣＴを更新すると共に、その加算値と、あらかじめ規定されている光源４の交換時期到来判定基準値ＳＬとを比較して、光源４の交換時期が到来したか否かを判定する（ステップＳ５）。
【００２１】
そして、ステップＳ２でＥＥＰＲＯＭ１０から読み出した光源４の使用積算時間ΣＴと、ステップＳ３で演算した点灯ストレス時間換算値Ｔａとの加算値がＳＬを越えていなければ、未だ光源４の交換時期に到来していないと判断し、冷却ファン５の回転をスタートすると共に（ステップＳ６）、ＥＥＰＲＯＭ１０の点灯カウンタをリセットし（ステップＳ７）、スイッチ１５の接点をオンにして光源４に電源Ｅｂを供給して光源４を点灯し（ステップＳ８）、ＥＥＰＲＯＭ１０の点灯カウンタをスタート（ステップＳ９）した後、フローチャートを終了する。
【００２２】
一方、ステップＳ２でＥＥＰＲＯＭ１０から読み出した光源４の使用積算時間ΣＴと、ステップＳ３で演算した点灯ストレス時間換算値Ｔａとの加算値がＳＬとイコール又は越えている場合には、光源４の交換時期に到来したと判断し、ユーザに対して光源の交換時期到来を、例えば、ランプ表示等で警告する（ステップＳ１０）と共に、冷却ファン５の回転処理（ステップＳ６）やスイッチ１５の接点オン処理（ステップＳ８）などをパスし、光源４を点灯することなく、そのままフローチャートを終了する。
【００２３】
ここで、点灯ストレス時間換算値Ｔａは、先にも説明した「一般に、光源の寿命は連続点灯時間で規定されるが、実際の寿命は点灯／消灯の繰り返しのストレスの影響を受ける」ことに着目した補正値である。かかる補正値は、光源４の品種等によって様々であり、一概には言えないが、例えば、品種毎に点灯／消灯のストレス試験を行い、その結果から割り出すことができるので、光源４の品種に対応した点灯１回あたりのストレス換算時間をＲＯＭ８に保持しておけばよい。
【００２４】
このように、本実施形態における光源点灯処理によれば、光源４の点灯１回あたりのストレス換算時間Ｔａを、光源４の使用積算時間ΣＴに加算し、その加算値と、光源４の交換時期到来判定基準値ＳＬとを比較して、光源４の交換時期が到来したか否かを判定するので、冒頭の従来技術のように、単に光源の累計の使用時間のみから判定するものに比べて、少なくとも光源の点灯／消灯の繰り返しに伴うストレスを考慮した正確な交換時期到来の判定を行うことができるから、判定の精度を上げることができ、光源４の寿命をほぼ全うすることが可能となり、経済性を改善することができるという特有のメリットが得られる。
【００２５】
＜光源消灯処理＞
図４は、プロジェクタ１のＣＰＵ１１で実行される制御プログラムのうち「光源消灯処理」のフローチャートを示す図である。この図において、まず、ＣＰＵ１１は、光源消灯信号（光源消灯ボタン６ｂの操作信号）の入力を判定すると（ステップＳ１１）、スイッチ１５の接点をオフにして光源４への電源Ｅｂの供給を絶ち、光源４を消灯する（ステップＳ１２）と共に、ＥＥＰＲＯＭ１０の点灯タイマをストップして、そのときのカウンタ値を読み込み（ステップＳ１３）、ＥＥＰＲＯＭ１０に格納されている光源４の使用積算時間ΣＴにカウンタ値を加算して、その加算値でＥＥＰＲＯＭ１０に格納されている光源４の使用積算時間ΣＴを更新し（ステップＳ１４）、ＥＥＰＲＯＭ１０の点灯タイマをリセットする（ステップＳ１５）。このとき、冷却ファン５は回転したままであり、したがって、光源４の消灯後、直ちに光源４のクールダウンが開始される。
【００２６】
次いで、ＥＥＰＲＯＭ１０のクールダウンタイマのカウントをスタートし（ステップＳ１６）、そのカウント値が規定のクールダウン時間（光源４の温度が既定の温度に低下するまでの時間）を超過するまで待機する（ステップＳ１７）。そして、カウント値が規定のクールダウン時間を超過すると、冷却ファン５を停止し（ステップＳ１８）、ＥＥＰＲＯＭ１０のクールダウンタイマを０にリセットし（ステップＳ１９）、フローチャートを終了する。
【００２７】
さて、この光源消灯処理によれば、光源消灯信号の入力時に、光源４を消灯し、その後、クールダウンタイマが所定時間（規定のクールダウン時間）に達するまでの間、冷却ファン５を回転し続けて、消灯後の光源４をクールダウンすることができる。したがって、このフローを見る限りにおいては、クールダウンが正しく行われるため、クールダウンの未実行やクールダウンの途中終了といった不本意な状況は発生しない。しかしながら、プロジェクタ１の使用状況によっては、光源４の消灯と同時にコンセントが抜かれて商用電源が断たれたり、又は、クールダウンの途中で商用電源が断たれたりするケースが起こり得る。あるいは、ごくまれには光源４の点灯中やクールダウン中に停電が発生することもある。このようなケースでは、クールダウンの未実行やクールダウンの途中終了に伴うストレスの影響を考慮して、光源４の使用積算時間ΣＴを補正しなければ、正しい交換時期到来判定を行うことができない。
【００２８】
そこで、本実施形態では、以下の「停電割り込み処理」において、クールダウンの未実行やクールダウンの途中終了に伴うストレスの影響を考慮するようにしている。
【００２９】
＜停電割り込み処理＞
図５は、プロジェクタ１のＣＰＵ１１で実行される制御プログラムのうち「停電割り込み処理」のフローチャートを示す図である。この停電割り込み処理は、ＣＰＵ１１の割り込み端子に印加される停電検知部１４からの停電検知信号がアクティブになったとき（電源Ｅｃが絶たれたとき）に実行される。なお、この停電割り込み処理を実行する際のＣＰＵ１１の電源Ｅｃは、商用電源が断たれているため、バッテリ１３から供給される。
【００３０】
この図において、まず、ＣＰＵ１１は、光源４が点灯中であるか否か（スイッチ１５に対してＣＰＵ１１から接点オン指示信号が出力されているか否か）を判定する（ステップＳ２０）。そして、光源４が点灯中でない場合には、次に、クールダウン中であるか否か（冷却ファン５に対してＣＰＵ１１から回転指示が出力されているか否か）を判定し（ステップＳ２１）、光源４が非点灯で且つクールダウン中でなければ、クールダウンの未実行やクールダウンの途中終了に伴うストレスの影響はないものと判断して、そのままフローチャートを終了する。
【００３１】
一方、ステップＳ２０の判定結果が“ＹＥＳ”のとき、つまり、停電割り込み時に光源４が点灯中であった場合には、クールダウンの未実行に伴うストレスの影響があるものと判断して、クールダウンストレス換算時間Ｔｂを演算する（ステップＳ２２）。そして、ＥＥＰＲＯＭ１０から読み出した光源４の使用積算時間ΣＴに、ステップＳ２２で演算したクールダウンストレス換算時間Ｔｂを加算し、その加算値を用いてＥＥＰＲＯＭ１０の光源４の使用積算時間ΣＴを更新す（ステップＳ２３）した後、フローチャートを終了する。
【００３２】
他方、ステップＳ２１の判定結果が“ＹＥＳ”のとき、つまり、停電割り込み時にクールダウン中であった場合には、クールダウンの途中終了に伴うストレスの影響があるものと判断して、ＥＥＰＲＯＭ１０から現在のクールダウンタイマの値を読み込み（ステップＳ２４）、そのタイマ値から残余クールダウン時間を割り出し、その残余クールダウン時間に対応したクールダウンストレス換算時間Ｔｂを演算する（ステップＳ２５）。そして、ＥＥＰＲＯＭ１０のクールダウンタイマを０にリセット（ステップＳ２６）すると共に、ＥＥＰＲＯＭ１０から読み出した光源４の使用積算時間ΣＴに、ステップＳ２５で演算したクールダウンストレス換算時間Ｔｂを加算し、その加算値を用いてＥＥＰＲＯＭ１０の光源４の使用積算時間ΣＴを更新（ステップＳ２３）した後、フローチャートを終了する。
【００３３】
ここで、クールダウンストレス換算時間Ｔｂは、先にも説明した「一般に、光源の寿命は連続点灯時間で規定されるが、実際の寿命は・・・・クールダウンを行わなかったり、クールダウンを途中で終了しりした場合のストレスの影響も受ける」ことに着目した補正値である。かかる補正値は、光源４の品種等によって様々であり、一概には言えないが、例えば、品種毎にクールダウンをまったく行わなかったり、さらに、様々な時間でクールダウンを途中終了したりするという模擬的なストレス試験を行い、その結果から割り出された、光源４の品種に適合したクールダウン未実行及び途中終了時間毎のストレス換算時間をＲＯＭ８に保持しておけばよい。
【００３４】
このように本実施形態の停電時割り込み処理によれば、光源４の点灯中に停電の発生やユーザによるコンセントの引き抜きが行われると、クールダウン未実行に伴うクールダウンストレス換算時間Ｔｂを演算して光源４の使用積算時間ΣＴを補正し、又は、光源４のクールダウン中に停電の発生やユーザによるコンセントの引き抜きが行われると、残余のクールダウン時間に対応したクールダウンストレス換算時間Ｔｂを演算して光源４の使用積算時間ΣＴを補正するので、その後に「光源点灯処理」（図３参照）を実行する際に、クールダウン未実行又はクールダウン途中終了のストレスを加味した交換時期到来判定を行うことができるようになり、前記の点灯ストレス時間換算値Ｔａの考慮と相まって、より一層の交換時期到来判定の精度向上を図ることができる。それゆえ、光源４の寿命ぎりぎりまで使用を継続することができ、光源４の早すぎる交換を回避し、経済性の大幅な改善を図ることができる。
【図面の簡単な説明】
【００３５】
【図１】本実施形態のプロジェクタ１のブロック図である。
【図２】ＥＥＰＲＯＭ１０に書き換え可能かつ不揮発的に格納されているデータの一例を示す概念図である。
【図３】プロジェクタ１のＣＰＵ１１で実行される制御プログラムのうち「光源点灯処理」のフローチャートを示す図である。
【図４】プロジェクタ１のＣＰＵ１１で実行される制御プログラムのうち「光源消灯処理」のフローチャートを示す図である。
【図５】プロジェクタ１のＣＰＵ１１で実行される制御プログラムのうち「停電割り込み処理」のフローチャートを示す図である。
【符号の説明】
【００３６】
ΣＴ  使用積算時間
Ｓ３  ステップ（第二演算工程）
Ｓ４  ステップ（更新工程）
Ｓ５  ステップ（判定工程）
Ｓ１４  ステップ（第一演算工程、保持工程）
Ｓ１７  ステップ（クールダウン工程）
Ｓ２２  ステップ（第三演算工程）
Ｓ２５  ステップ（第三演算工程）
ＳＬ  交換時期到来判定基準値（所定の基準値）
Ｔａ  点灯ストレス時間換算値
Ｔｂ  クールダウンストレス時間換算値
４  光源
５  冷却ファン（クールダウン手段）
１０  ＥＥＰＲＯＭ（保持手段）
１１  ＣＰＵ（第一演算手段、第二演算手段、第三演算手段、
更新手段、判定手段）
【図１】
2007095427.tif 000003
【図２】
2007095427.tif 000004
【図３】
2007095427.tif 000005
【図４】
2007095427.tif 000006
【図５】
2007095427.tif 000007